(57)【特許請求の範囲】
【請求項１】
静電容量の変化に基づいて手書き入力を検出する手書き入力装置に用いられる消去媒体であって、
本体と、
前記本体に設けられた粘着材と、
前記粘着材の内側に設けられた導電性部材と、
を備えることを特徴とする消去媒体。
【請求項２】
前記粘着材と前記導電性部材を備え、前記本体に対して回転するローラ部を備えることを特徴とする請求項１に記載の消去媒体。
【請求項３】
前記導電性部材は前記ローラ部の中心側に設けられ、前記粘着材は前記導電性部材の外周側に設けられていることを特徴とする請求項２に記載の消去媒体。
【請求項４】
前記導電性部材は前記本体に固定されており、前記粘着材は前記導電性部材の外側に設けられていることを特徴とする請求項１に記載の消去媒体。
【請求項５】
前記粘着材は、ペンにより用紙上に手書きされた部分に当接し、前記用紙上に手書きされた内容を前記用紙から剥離することにより消去することを特徴とする請求項１乃至４のいずれか一項に記載の消去媒体。
【請求項６】
用紙と、ペンと、請求項１乃至５のいずれか一項に記載の消去媒体と、静電容量の変化に基づいて前記ペンで前記用紙に対して手書きされた内容を検出する手書き入力装置と、表示部を有する端末装置と、を備える手書き入力システムであって、
前記端末装置は、前記用紙に対して前記ペンで手書き入力がなされたときに、手書き入力情報を前記手書き入力装置から受信して前記表示部に表示し、前記用紙上の前記手書き入力情報が前記消去媒体により消去されたときに、消去された手書き入力情報を、消去されていない手書き入力情報と識別可能な態様で前記表示部に表示することを特徴とする手書き入力システム。
【発明の詳細な説明】
【技術分野】
【０００１】
本発明は、入力ペンと消去媒体を利用する手書き入力装置に関する。
【背景技術】
【０００２】
感圧式タッチパネルを備える手書き入力装置の一例が特許文献１に記載されている。この手書き入力装置は、タッチパネル上に配置した用紙にユーザがペンなどで手書き入力を行うと、その筆跡を電子筆跡として取得し、ＰＤＡに入力する。
【０００３】
また、鉛筆やペンなどで記入した内容を、粘着材の表面に転写することにより消去する粘着材利用剥離具の一例が特許文献２に記載されている。
【先行技術文献】
【特許文献】
【０００４】
【特許文献１】特開２００６−１７２２３０号公報
【特許文献２】登録実用新案第３０１６１７５号
【発明の概要】
【発明が解決しようとする課題】
【０００５】
タッチパネル上に用紙を配置して手書き入力を行った後、内容を訂正したい場合が考えられる。このような場合、一般的な消しゴムを使用して用紙上に記入された内容を消去することはできるが、それだけでは同時に電子筆跡として取得した記入内容を消去することはできない。また、用紙に手書き入力した情報を消去する際に通常の消しゴムを使用すると消しかすが発生するため、手書き入力情報を電気的に取得する際に誤検出やエラーの原因になる恐れがある。
【０００６】
本発明は、いったん手書き入力された情報を正しく消去することが可能な手書き入力情報の消去媒体を提供することを主な目的とする。
【課題を解決するための手段】
【０００７】
本発明の１つの観点では、静電容量の変化に基づいて手書き入力を検出する手書き入力装置に用いられる消去媒体は、本体と、前記本体に設けられた粘着材と、前記粘着材の内側に設けられた導電性部材と、を備える。
【０００８】
上記の消去媒体は、手書き入力装置において、用紙に記入された手書き入力情報を消去するために使用される。本体に設けられた粘着材は、用紙における手書き入力部分に接触することにより手書き入力の筆跡を剥離して用紙から消去する。一方、消去時には粘着材の内側に設けられた導電性部材の近接を検出することにより消去領域が検出され、消去領域に含まれる手書き入力情報が電気的に消去される。
【０００９】
上記の消去媒体の一態様は、前記粘着材と前記導電性部材を備え、前記本体に対して回転するローラ部を備える。また、前記導電性部材は前記ローラ部の中心側に設けられ、前記粘着材は前記導電性部材の外周側に設けられている。この態様では、用紙上の消去したい領域にローラ部を接触させて回転させることにより、用紙から手書き入力の筆跡が剥離されて消去される。
【００１０】
上記の消去媒体の他の一態様では、前記導電性部材は前記本体に固定されており、前記粘着材は前記導電性部材の外側に設けられている。この態様では、用紙上の消去したい領域に粘着材を押し当てたり、粘着材で軽く叩いたりすることにより、用紙から手書き入力の筆跡が剥離されて消去される。
【００１１】
本発明の他の観点は、用紙と、ペンと、消去媒体と、静電容量の変化に基づいて前記ペンで前記用紙に対して手書きされた内容を検出する手書き入力装置と、表示部を有する端末装置と、を備える手書き入力システムであって、前記端末装置は、前記用紙に対して前記ペンで手書き入力がなされたときに、手書き入力情報を前記手書き入力装置から受信して前記表示部に表示し、前記用紙上の前記手書き入力情報が前記消去媒体により消去されたときに、消去された手書き入力情報を、消去されていない手書き入力情報と識別可能な態様で前記表示部に表示する。
【００１２】
上記の手書き入力システムでは、ユーザがペンを用いて用紙に手書き入力を行うと、入力装置が手書き入力情報を検出して端末装置に送信し、端末装置が受信した手書き入力情報を表示部に表示する。一方、ユーザがいったん手書き入力された情報を消去媒体により消去すると、端末装置は消去された手書き入力情報を、消去されていない手書き入力情報と識別可能な態様で前記表示部に表示する。これにより、ユーザは、表示部上で消去した部分と消去していない部分とを区別することができる。
【図面の簡単な説明】
【００１３】
【図１】本発明の実施例に係る手書き入力システムの概略構成を示す。
【図２】手書き入力装置の機能構成を示すブロック図である。
【図３】端末装置の機能構成を示すブロック図である。
【図４】手書き入力情報の位置補正の方法を説明する図である。
【図５】データ記憶部に記憶される記入データの例を示す。
【図６】位置補正のフローチャートである。
【図７】マークの形成方法を示す。
【図８】マークの配置例を示す。
【図９】手書き入力装置の変形例の断面図である。
【図１０】消去媒体の第２の例を模式的に示す。
【図１１】消去媒体の第３の例を模式的に示す。
【図１２】消去された内容の表示例を示す。
【発明を実施するための形態】
【００１４】
以下、図面を参照しながら、本発明の実施の形態について説明する。
【００１５】
［構成］
図１は、本発明の実施例に係る手書き入力システムの概略構成を示す。手書き入力システムは、手書き入力装置（以下、単に「入力装置」と呼ぶ。）１０と、端末装置２０とを備える。入力装置１０は、ユーザがペン３２により用紙３１に記入した情報（以下、「手書き入力情報」と呼ぶ。）を取得し、無線通信により端末装置２０に送信する。端末装置２０は、入力装置１０から受信した手書き入力情報を表示する。
【００１６】
入力装置１０は、センサシート１１と、回路部１８とを備える。センサシート１１は、静電容量式であり、矩形の形状を有する。回路部１８は、入力装置１０の所定の端部に設けられ、後述する通信部、記憶部などを構成する回路が形成される。
【００１７】
入力を行う際、ユーザはセンサシート１１上に用紙３１を配置し、ペン３２により用紙に手書き入力（記入）を行う。用紙は無地であってもよいし、予め何かが印刷されていてもよい。ペン３２は、例えば鉛筆、シャープペンなどであり、芯の部分、すなわちセンサシート１１と接触する部位に導電性材料が含まれていればよい。センサシート１１は、ペン３２の導電性材料の接触、あるいは近接により内部電極の静電容量の変化を検出し、ペン３２が用紙３１を介してセンサシート１１に接触している位置の位置座標を特定する。ペン３２のセンサシート１１に対する接触位置の座標を連続的に検出することにより、ユーザが手書きした文字、記号、絵などを取得することができる。
【００１８】
端末装置２０は、入力装置１０が取得した手書き入力情報を表示するための装置であり、用紙３１に対応する一定の表示面積を有することが好ましい。図１では、端末装置２０としてタブレット型端末装置を図示しているが、端末装置２０は通常のデスクトップＰＣやラップトップＰＣなどであってもよい。
【００１９】
図２は、入力装置１０の機能構成を示す。入力装置１０は、センサシート１１に加えて、通信部１２、タイマー１３、メモリ１４、データ記憶部１５、制御部１６を備える。なお、通信部１２、タイマー１３、メモリ１４、データ記憶部１５及び制御部１６は、図１に示す回路部１８に設けられる。
【００２０】
通信部１２は、例えばＢｌｕｅｔｏｏｔｈ（登録商標）などの無線通信により、入力装置１０が取得した手書き入力情報を端末装置２０へ送信する。タイマー１３は、現在時刻を計測する。
【００２１】
メモリ１４は、後述する手書き入力情報の位置補正などを行うためのプログラムを記憶している。また、メモリ１４は、位置補正を行う際の作業メモリとしても機能する。
【００２２】
データ記憶部１５は、ユーザが手書き入力を行った際にセンサシート１１が検出した記入位置などを含む記入データを記憶する。記入データの詳細については後述する。
【００２３】
制御部１６は、メモリ１４に予め記憶されたプログラムを実行することにより、入力装置１０全体を制御するとともに、手書き入力情報の位置補正を行う。
【００２４】
図３は、端末装置２０の機能構成を示す。端末装置２０は、表示部２１と、通信部２２と、制御部２３とを備える。表示部２１は例えば液晶ディスプレイなどである。通信部２２は、無線通信により入力装置１０の通信部１２と通信し、入力装置１０から手書き入力情報を受信する。制御部２３は、端末装置２０の全体を制御する。また、制御部２３は、通信部２２が入力装置１０から受信した手書き入力情報を表示部２１に表示する処理を行う。
【００２５】
［位置補正］
図１に示すように、ユーザが用紙３１を入力装置１０のセンサシート１１上に配置してペン３２により手書き入力を行う場合、通常ユーザは用紙３１をセンサシート１１の中央付近に配置する。その際、ユーザは必ずしも用紙３１の４辺がセンサシート１１の４辺とそれぞれ平行になるように配置するとは限らない。また、用紙３１をテープなどでセンサシート１１に固定しない限り、ユーザが手書き入力を続けるのに伴って用紙３１がずれたり回転したりしてしまうことが多い。具体的には、右利きのユーザが右手で手書き入力を続けると、用紙３１が徐々に右方向へずれていったり、用紙が上下方向へ（時計まわり又は反時計まわりに）回転していったりする傾向がある。そこで、本実施例では、ユーザが手書き入力を開始する際、及び、手書き入力を続ける間に生じる用紙３１のずれを検出し、これに基づいて手書き入力情報を補正する。これを以下、「位置補正」と呼ぶ。
【００２６】
具体的に、本実施例では、用紙３１に予め複数のマークを形成しておき、このマークを検出することにより、用紙３１の配置状態、具体的にはセンサシート１１に対する用紙３１の位置及び用紙３１の傾きを検出する。そして、検出した用紙の位置及び傾きに基づいて、センサシート１１が検出した記入位置を補正する。
【００２７】
まず、センサシート１１に対する用紙３１の位置に関する補正について説明する。図４（Ａ）は、用紙３１をセンサシート１１上に配置した状態を示す。図示のように、用紙３１は四隅にマークＭ１〜Ｍ４が設けられている。なお、以下の説明において、マークＭ１〜Ｍ４を区別しない場合には単に「マークＭ」と記載し、特定の１つを指す場合には「マークＭ１」などと記載する。また、説明の便宜上、各マークＭはセンサシート１１上の１つの座標点に対応する大きさであるものとする。
【００２８】
マークＭは、導電物質からなり、例えば導電性インクにより用紙３１に形成されるので、用紙３１をセンサシート１１上に配置すると、入力装置１０はマークＭのセンサシート１１上における位置座標を検出することができる。
【００２９】
図４（Ａ）において、センサシート１１の左下隅を原点（以下、「センサ原点」と呼ぶ。）Ｏｓとし、センサシート１１の下辺と左辺をそれぞれＸ軸、Ｙ軸とする座標系（以下、「センサ座標系」とも呼ぶ。）を定義する。また、用紙３１の左下隅を原点（以下、「紙原点」と呼ぶ。）Ｏｐとし、用紙３１の下辺と左辺をそれぞれｘ軸、ｙ軸とする座標系（以下、「紙座標系」とも呼ぶ。）を定義する。
【００３０】
いま、図４（Ａ）のように用紙３１をセンサシート１１上のある位置に置いたとする。なお、この例では、用紙３１の４辺がセンサシート１１の対応する４辺とほぼ平行であるものとする。センサシート１１は用紙３１の４つのマークＭ１〜Ｍ４を検出し、制御部１６はマークＭ１〜Ｍ４のセンサ座標系における位置座標を取得する。ここで、図４（Ａ）に示すように、紙原点Ｏｐの位置座標がＯｐ（ａ，ｂ）であると仮定すると、制御部１６はマークＭ１の位置座標を紙原点Ｏｐの位置座標として取得する。この場合、ペン３２による記入位置のセンサ座標系における位置座標をＰ（Ｘ，Ｙ）とすると、その記入位置の紙座標系における位置座標ｐ（ｘ，ｙ）は以下の式で与えられる。
【００３１】
ｐ（ｘ，ｙ）＝Ｐ（Ｘ−ａ，Ｙ−ｂ）                    （１）
このように、用紙３１に設けられたマークＭ１の位置を検出して紙原点Ｏｐのセンサ座標系における位置座標を取得することにより、センサ座標系における記入位置を紙座標系における記入位置に変換することができる。また、ユーザが記入を続ける間に用紙３１が徐々に上下左右の方向にずれていったとしても、マークＭ１の位置を継続的に検出して式（１）による変換を行うことにより、入力装置１０は常に紙座標系における記入位置を正しく取得することが可能となる。
【００３２】
なお、用紙３１がセンサシート１１上に配置されると、センサシート１１は４つのマークＭ１〜Ｍ４に対応する４つの位置座標を検出するが、制御部１６は、検出された４つの位置座標のうち最もセンサ原点Ｏｓに近い位置座標をマークＭ１の位置座標であると判定すればよい。
【００３３】
次に、用紙３１の傾きに関する補正について説明する。図４（Ｂ）は、用紙３１がセンサシート１１の下辺に対して反時計まわりに傾きθだけ傾いて配置された状態を示す。なお、センサ座標系、紙座標系などの定義は図４（Ａ）と同様であるとする。
【００３４】
センサシート１１は用紙３１の４つのマークＭ１〜Ｍ４を検出し、制御部１６はマークＭ１〜Ｍ４のセンサ座標系における位置座標を取得する。ここで、図４（Ｂ）に示すように、マークＭ１のセンサ座標系における位置座標、即ち紙原点Ｏｐの座標がＯｐ（ａ，ｂ）であり、マークＭ２のセンサ座標系における座標が（ｃ，ｄ）であったとすると、傾きθは、下式で与えられる。
【００３５】
θ＝ｔａｎ−１｛（ｄ−ｂ）／（ｃ−ａ）｝                （２）
よって、制御部１６は、式（１）により得られた紙座標系における記入位置を時計回りに角度θ回転させることにより、傾きθを考慮した正しい記入位置を得ることができる。
【００３６】
このように、用紙３１に設けられたマークＭ１、Ｍ２の位置を検出して用紙３１の傾きθを算出することにより、用紙３１が傾いていても、正しい記入位置を取得することができる。また、ユーザが記入を続ける間に用紙３１が徐々に回転していったとしても、マークＭ１、Ｍ２の位置を継続的に検出して傾きθを算出して補正を行うことにより、常に紙座標系における記入位置を正しく取得することが可能となる。なお、上記の例ではマークＭ１、Ｍ２を利用して傾きθを求めているが、マークＭ３、Ｍ４を用いて傾きθを求めても良い。
【００３７】
次に、入力装置１０において記憶されるデータについて説明する。図５は、入力装置１０のデータ記憶部１５に記憶される記入データの例を示す。入力装置１０の制御部１６は、タイマー１３から現在時刻を取得し、所定時間毎（図５の例では１秒毎）に記入データを記憶する。記入データは、「紙原点座標」、「傾き」、「センサ座標系における記入座標」、「紙座標系における記入座標」を含む。「紙原点座標」は、前述のように紙原点Ｏｐのセンサ座標系における座標である。「傾き」はセンサシート１１の下辺、即ちセンサ座標系のＸ軸に対する用紙３１の下辺の傾きθである。なお、制御部１６は、前述のように、センサシート１１によりマークＭ１〜Ｍ４のセンサ座標系における位置座標を検出し、これらに基づいて紙原点座標Ｏｐ及び傾きθを算出して記憶する。
【００３８】
「センサ座標系における記入座標」はセンサシート１１上におけるペン３２の位置座標である。また、「紙座標系における記入座標」は用紙３１におけるペン３２による記入位置の座標であり、前述のように、センサ座標系における記入座標に対して、紙原点座標と傾きを用いた位置補正を行うことにより求められる。そして、入力装置１０は、手書き入力情報として、「紙座標系における記入座標」を端末装置２０へ送信する。端末装置２０は、受信した手書き入力情報を表示部２１に表示する。
【００３９】
なお、図５には示していないが、入力装置１０の制御部１６は、各時刻において検出したマークＭ１〜Ｍ４の座標も記入データに加えてデータ記憶部１５に記憶することとしてもよい。
【００４０】
次に、位置補正の処理について説明する。図６は、位置補正のフローチャートである。この処理は、主として入力装置１０の制御部１６により実行される。
【００４１】
まず、制御部１６は、センサシート１１の出力に基づいて、ペン３２による手書き入力が行われているか否かを判定する（ステップＳ１０）。ペン３２による入力が無い場合（ステップＳ１０；Ｎｏ）、処理は終了する。
【００４２】
一方、ペン３２による入力が行われている場合（ステップＳ１０；Ｙｅｓ）、制御部１６はペン３２の位置座標を検出する（ステップＳ１１）。この位置座標は、センサ座標系における記入座標に相当し、図５に示すようにデータ記憶部１５に記憶される。
【００４３】
次に、制御部１６は、センサシート１１からの出力に基づいて、マークＭの位置座標を検出する（ステップＳ１２）。次に、制御部１６は、前述の方法により、マークＭの基準となる位置座標に基づいて紙原点座標Ｏｐ及び傾きθを算出する（ステップＳ１３）。算出された紙原点座標Ｏｐ及び傾きθは、図５に示すようにデータ記憶部１５に記憶される。
【００４４】
次に、制御部１６は、前述のように紙原点座標Ｏｐ及び傾きθに基づいてセンサ座標系における記入座標を補正し、紙座標系における記入座標を算出する（ステップＳ１４）。算出された紙座標系における記入座標は、図５に示すようにデータ記憶部１５に記憶される。そして、制御部１６は、通信部１２を介して、紙座標系における記入座標を手書き入力情報として端末装置２０へ送信し（ステップＳ１５）、ステップＳ１０へ戻る。
【００４５】
こうして、ペン３２による手書き入力が続いている間は、ステップＳ１１〜Ｓ１５の処理が繰り返し実行され、紙座標系における記入座標が手書き入力情報として端末装置２０へ送信されて表示部２１に表示される。この間にセンサシート１１上における用紙３１の位置が徐々にずれていったとしても、制御部１６は常に紙原点座標Ｏｐ及び傾きθを更新しつつ紙座標系における記入座標を算出するので、端末装置２０の表示部２１には常に正しい位置及び向きで手書き入力情報が表示される。
【００４６】
［マークの形成方法］
図７は、用紙３１にマークＭを形成する方法の例を示す。図７（Ａ）の例では、用紙３１の表面に導電性インクを塗布することによりマークＭを形成している。図７（Ｂ）の例では、用紙３１に導電性インクを染み込ませることによりマークＭを形成している。また、図７（Ｃ）の例では、２枚の用紙を重ね合せて用紙３１を構成し、２枚の用紙の間に導電性インクを挟み込むことによりマークＭを形成している。
【００４７】
本実施例では、上記の方法のいずれを適用してもよい。また、センサシート１１で検知できる程度の導電性を持たせることができれば、上記以外の方法でマークＭを形成してもよく、紙に金属片を配置する方法などを用いることが可能である。また、用紙への記入開始時にユーザが予め４隅などに印刷されたチェックボックス内に導電性のペンなどを用いて記入することでそれをマークＭとして使用することも可能である。その際にはチェックボックス内に記入される記号を特定の形状として記憶しておき、ユーザにその上をなぞることを促すように薄い色で当該形状を印刷しておくことが好ましい。このようにすることで当該形状をＯＣＲなどを用いて認識し、マークＭを使用時に都度形成し、且つ特定することが可能となる。また、マークＭの形状としては裏表が判別可能なように配置位置を異ならせたり、形状自体が表裏で非対称となるものが好ましい。
【００４８】
［マークの配置例］
上記の実施例では、図４に示すように４つのマークＭを用紙３１の四隅に形成しているが、マークの位置はこれには限られない。他のマークの配置例を図８に示す。
【００４９】
図８（Ａ）は、４つのマークＭを、用紙３１の四隅よりも内側に形成した例である。この場合、入力装置１０の制御部１６は、用紙３１の隅からの各マークＭのずれ分を考慮して紙座標原点Ｏｐ及び傾きθを算出する。
【００５０】
図８（Ｂ）、（Ｃ）は、さらに図中の右側の２つのマークＭの上下方向の位置を、左側の２つのマークＭと異ならせた例であり、用紙３１の左右の中心線に対してマークＭを非対称に形成している。また、図８（Ｄ）は、右側のマークＭを１つにした例であり、同様に用紙３１の左右の中心線に対してマークＭを非対称に形成している。このように、用紙３１の中心線に対してマークＭを非対称に形成することにより、用紙３１の表面と裏面とを識別することが可能となる。即ち、入力装置１０の制御部１６は、検出した複数のマークＭの相対的な位置関係に基づいて、用紙３１の表面と裏面のいずれに対して手書き入力がなされているかを判別することができる。
【００５１】
また、用紙３１にマークＭを設ける形態によって、用紙の種類を判別できるようにしてもよい。即ち、用紙３１の種類に応じて用紙３１に形成するマークＭの形態を変える。具体的に、１つの方法では、用紙３１の種類に応じて個々のマークＭの形状を変える。例えば、用紙Ａ（種類Ａ）の用紙３１には三角形のマークＭを設け、用紙Ｂ（種類Ｂ）の用紙３１には四角形のマークＭを設ける。別の方法では、用紙３１の種類に応じて複数のマークＭの位置関係に変える。例えば、用紙Ａには４つのマークＭをそれらが長方形を構成するように形成し、用紙Ｂには３つのマークＭをそれらが三角形を構成するように形成する。また、上記の２つの方法を組み合わせ、個々のマークＭの形状と複数のマークが構成する形状の組み合わせにより用紙３１の種類を区別してもよい。例えば、用紙Ａには４つの三角形のマークＭをそれらが四角形を構成するように形成し、用紙Ｂには４つの四角形のマークをそれらが四角形を構成するように配置する。これにより、マークＭの形態に基づいて、用紙の種類を判別することが可能となる。なお、複数のマークＭの形態に基づいて用紙３１の種類を判別する処理は、入力装置１０と端末装置２０のいずれが行っても良い。即ち、入力装置１０の制御部１６が複数のマークＭの情報に基づいて用紙の種類を判別し、その結果を端末装置２０に送信してよい。その代わりに、端末装置２０の制御部２３が入力装置１０から複数のマークＭに関する情報を受信して用紙の種類を判別しても良い。
【００５２】
さらには、上記のように用紙の種類が判別できた場合に、端末装置２０の制御部２３が用紙の種類ごとに予め設定されたアプリケーションを自動的に起動するようにしてもよい。例えば、使用中の用紙３１が用紙Ａと判定された場合には、端末装置２０の制御部２３はアプリケーションＡを起動し、使用中の用紙３１が用紙Ｂと判定された場合には、端末装置２０の制御部２３はアプリケーションＢを起動する。なお、用紙の種類とアプリケーションとの対応関係は端末装置２０の図示しない記憶部などに記憶しておけばよい。
【００５３】
［入力装置の変形例］
図９は、変形例に係る入力装置１０ｘの断面図である。この入力装置１０ｘでは、センサシート１１の上下をアクリルなどの透明樹脂１７により覆っている。これにより、入力装置１０のセンサシート１１の部分がある程度の可撓性を有するようになり、例えば下敷きのように本に挟んで利用することが可能となる。
【００５４】
［消去媒体］
上記の実施例では、ユーザがペン３２により用紙３１に記入できるようにしているが、記入した事項を修正したい場合には、消しゴムなどの消去媒体を利用できるようにしてもよい。
【００５５】
（第１の例）
第１の例では、消去媒体として、通常の消しゴムの素材に導電性を有する材料を含ませておく。例えば導電性材料を消しゴムの材料に練り込んでおく。この消しゴムで用紙上の削除したい箇所をこすれば、鉛筆などにより用紙に記入した事項は通常の消しゴムの機能により消去される。一方、センサシート１１は、消しゴムに含まれている導電性材料を検知して消しゴムが移動した範囲を消去範囲として検出し、制御部１６はデータ記憶部１５に記憶されている記入データのうち消去範囲に属するものを消去すればよい。消去範囲に属する部分が消去された後の記入データを端末装置２０に再送すれば、端末装置２０に表示された画像において消去を反映することができる。
【００５６】
もしくは、制御部１６は、消去範囲を示すデータを消去データとして、記入データとは別にデータ記憶部１５に記憶しておいてもよい。この場合には、消去データを端末装置２０に送信し、消去データが示す消去範囲を端末装置２０が無記入状態に変更することにより、端末装置２０に表示された画像において消去を反映することができる。
【００５７】
また、上記のように消しゴムの素材に導電性材料を含ませる代わりに、通常の消しゴムの外周に導電性材料を巻きつけたり、導電性材料で消しゴムのケースを作製してもよい。
【００５８】
（第２の例）
第２の例による消去媒体を図１０（Ａ）に示す。第２の例では、消去媒体は用紙に手書きされた筆跡を粘着材により剥離することにより消去する。具体的に、第２の例による消去媒体４０はローラータイプであり、本体４１と、ローラ部４２とを備える。ローラ部４２は本体に対して回転可能に構成されている。即ち、図１０（Ａ）に示すように、ユーザが用紙３１上の記入済領域において消去媒体４０を矢印４９の方向に移動させると、ローラ４２は用紙３１に接触した状態で回転する。ローラ部４２は粘着性を有し、用紙３１に接触して回転することにより用紙３１上の鉛筆の筆跡を剥がし、記入された文字などを消去する。
【００５９】
図１０（Ｂ）は、ローラ部４２の構成を示す。ローラ部４２は、円柱状の芯材４３と、芯材４３を覆うように設けられた円筒状の外周部４４とを備える。芯材４３は、消去媒体４０の本体４１に回転可能に固定され、ローラ部４２の回転軸としての機能を有する。外周部４４の断面を図１０（Ｃ）に示す。外周部４４は、芯材４３の外周に設けられた円筒状の導電性部材４５と、導電性部材４５の外周に設けられた円筒状の粘着材４６とを備える。
【００６０】
粘着材４６は、例えばポリウレタン樹脂などの粘着及び剥離が繰り返し可能なゴム状弾性体により構成することができる。用紙３１の記入済領域でローラ部４２を回転させると、用紙３１上の鉛筆の筆跡がローラ部４２の粘着材４６に転写されて剥離され、記入された文字などが消去される。よって、通常の消しゴムと異なり、消しくずが出ることはない。剥がされた鉛筆の筆跡は粘着材４６に転写されるが、粘着材４６の表面を水や洗剤などで洗えば転写された筆跡を落とすことができる。これにより、粘着材４６は元の粘着力を回復し、再度使用することが可能となる。
【００６１】
一方、記入データは、ローラ部４２の導電性部材４５により電気的に消去される。具体的には、センサシート１１は、静電容量の変化により消去媒体４０の導電性部材４５の近接検知し、消去媒体４０が移動した範囲を消去範囲として検出する。制御部１６はデータ記憶部１５に記憶されている記入データのうち消去範囲に属するものを消去する。消去範囲に属する部分が消去された後の記入データを端末装置２０に再送すれば、端末装置２０に表示された画像において消去を反映することができる。なお、第１の例と同様に、制御部１６は、消去範囲を示すデータを消去データとして、記入データとは別にデータ記憶部１５に記憶しておいてもよい。
【００６２】
（第３の例）
第３の例による消去媒体を図１１（Ａ）に示す。第３の例でも、消去媒体は用紙に手書きされた筆跡を粘着材により剥離することにより消去する。具体的に、消去媒体５０は押し付け消去タイプであり、本体５１と、接触部５２とを備える。図１１（Ａ）に示すように、ユーザが用紙３１上の記入済領域において消去媒体５０の接触部５２を用紙３１に当てて、軽く叩くことにより、用紙３１上の鉛筆の筆跡を剥がし、記入された文字などを消去する。
【００６３】
図１１（Ｂ）は、接触部５２の断面を示す。接触部５２は、内部に導電性部材５３を有し、その外周は粘着材５４により覆われている。粘着材５４はポリウレタン樹脂などの柔らかい材料で構成されており、用紙３１の表面に押し当てることにより、鉛筆の筆跡を剥がして文字などを消去することができる。よって、通常の消しゴムと異なり、消しくずが出ることはない。第２の例と同様に、用紙３１から剥がれた鉛筆の筆跡は粘着材５４に転写されるが、水や洗剤により洗い落として再利用することが可能である。
【００６４】
一方、記入データは、第２の例と同様に、接触部５２内の導電性部材５３により電気的に消去される。具体的には、センサシート１１は、静電容量の変化により消去媒体５０の導電性部材５３の近接を検知し、消去媒体５０が移動した範囲を消去範囲として検出する。制御部１６はデータ記憶部１５に記憶されている記入データのうち消去範囲に属するものを消去する。消去範囲に属する部分が消去された後の記入データを端末装置２０に再送すれば、端末装置２０に表示された画像において消去を反映することができる。なお、第１の例と同様に、制御部１６は、消去範囲を示すデータを消去データとして、記入データとは別にデータ記憶部１５に記憶しておいてもよい。
【００６５】
（消去媒体の使用時の表示例）
次に、消去媒体を使用した場合の端末装置２０による表示例について説明する。前述のように、入力装置２０により入力された記入データは、端末装置２０へ送信され、手書き入力情報として表示部２１に表示される。よって、表示部２１に表示された手書き入力情報が消去媒体により消去された場合には、入力装置１０は消去された記入データ（以下、「消去データ」とも呼ぶ。）を端末装置２０へ送信し、端末装置２０は消去データに対応する手書き入力情報を表示部２１上で消去する。これにより、手書き入力情報が消去媒体により消去されたときには、表示部２１上の表示においても直ちに消去を反映することができる。
【００６６】
但し、消去媒体により消去された手書き入力情報を直ちに表示部２１上で消去せず、しばらくの間は一時的に表示したままとしておく方が便利なこともある。例えば、ユーザが設問に対する解答を記入するような状況では、いったん解答を記入した後で書き直す際に最初に記入した内容を見ながら書き直しを行えると便利なことがある。
【００６７】
よって、端末装置２０は、消去データに対応する手書き入力情報を、消去されていない手書き入力情報と区別できるような対応で、表示部２１に表示しつづけることとしてもよい。例えば、図１２（Ａ）に示すように、消去データに対応する手書き入力情報「ａ  ｐｅｎ」の部分を、半透明で表示したり、色を変えて表示したりして、消去されていない手書き入力情報と区別して表示しておく。もしくは、図１２（Ｂ）に示すように、消去データに対応する手書き入力情報の部分を枠で囲んだり、背景色を変えたりしてもよい。さらには、消去データに対応する手書き入力情報の部分に、消しゴムのマークやアイコンなどを表示して、その箇所が消去媒体により消去されたことを示すようにしてもよい。
【００６８】
次に、消去データに対応する手書き入力情報を表示部２１から消去するタイミング、即ち、表示部２１上の表示において消去を反映するタイミングについて述べる。
【００６９】
１つの例では、端末装置２０は、消去データの情報を入力装置１０から受信した後、所定時間経過後に、消去データに対応する手書き入力情報を表示部２１上で消去する。
【００７０】
他の例としては、端末装置２０は、消去データに対して再記入が行われた時に、消去データに対応する手書き入力情報を消去する。具体的に、用紙３１上で設問に対する解答欄が予め決められているような場合には、まずユーザが解答欄に解答を記入すると、その手書き入力情報が表示部２１上の解答欄に対応する位置に表示される。次に、ユーザが記入した内容を消去媒体で消去すると、例えば図１２（Ａ）、（Ｂ）のように消去データに対応する手書き入力情報が他の記入内容と区別できる態様で表示される。そして、ユーザが用紙３１上の解答欄に新たな解答を記入したときに、消去データに対応する手書き入力情報が消去され、新たな解答に対応する手書き入力情報のみが表示部２１に表示されるようにする。
【００７１】
なお、用紙３１上に特に解答欄などが設けられていない場合には、消去データ上に新たな内容が上書きされたとき（より具体的には、消去媒体により消去された領域に新たに記入がおこなわれたとき）に、消去データに対応する手書き入力情報を表示部２１から消去するようにしてもよい。
【００７２】
［変形例］
上記の実施形態では、入力装置１０と端末装置２０とは無線通信によりデータを送受信している。その代わりに、入力装置１０と端末装置２０をケーブルなどにより接続して有線通信により必要なデータを送受信してもよい。
【符号の説明】
【００７３】
１０、１０ｘ  手書き入力装置
１１  センサシート
１５  データ記憶部
１６  制御部
２０  端末装置
３１  用紙
３２  ペン
４０、５０  消去媒体
４５、５３  導電性部材
４６、５４  粘着材
【図１】
0006497266.tif 000002
【図２】
0006497266.tif 000003
【図３】
0006497266.tif 000004
【図４】
0006497266.tif 000005
【図５】
0006497266.tif 000006
【図６】
0006497266.tif 000007
【図７】
0006497266.tif 000008
【図８】
0006497266.tif 000009
【図９】
0006497266.tif 000010
【図１０】
0006497266.tif 000011
【図１１】
0006497266.tif 000012
【図１２】
0006497266.tif 000013